(57)【特許請求の範囲】
【請求項１】
画像処理に関する履歴情報を記録手段に記録するとともに、ユーザーに情報を表示する表示手段を備えた画像処理装置であって、
前記記録手段に記録された前記履歴情報を外部へ送信する送信手段と、
前記画像処理を行う前に、当該画像処理に関する履歴情報を記録するための領域を、前記記録手段に確保する領域確保手段と、
前記領域確保手段により前記領域が確保できなかった場合に、前記画像処理を中止する中止手段と、
前記中止手段により前記画像処理が中止されたことを示す情報を前記ユーザーに表示するように前記表示手段を制御する制御手段と、を有し、
前記画像処理が予め定められた時刻に行われる処理である場合、前記領域確保手段が前記領域を確保することができないときであっても、前記記録手段に記録された履歴情報を前記送信手段が前記時刻よりも前に外部へ送信することに伴って前記記録手段に記録された当該履歴情報が削除されるときには、前記中止手段は前記画像処理を中止しないことを特徴とする画像処理装置。
【請求項２】
画像処理に関する履歴情報を記録手段に記録するとともに、ユーザーに情報を表示する表示手段を備えた画像処理装置の制御方法であって、
前記記録手段に記録された前記履歴情報を外部へ送信する送信ステップと、
前記画像処理を行う前に当該画像処理に関する履歴情報を記録するための領域を、前記記録手段に確保する領域確保ステップと、
前記領域確保ステップにより前記領域が確保できなかった場合に、前記画像処理を中止する中止ステップと、
前記中止ステップにより前記画像処理が中止されたことを示す情報を前記ユーザーに表示するように前記表示手段を制御する制御ステップと、を有し、
前記画像処理が予め定められた時刻に行われる処理である場合、前記領域確保ステップにおいて前記領域を確保することができないときであっても、前記記録手段に記録された履歴情報を前記送信ステップが前記時刻よりも前に外部へ送信することに伴って前記記録手段に記録された当該履歴情報が削除されるときには、前記中止ステップは前記画像処理を中止しないことを特徴とする制御方法。
【請求項３】
画像処理に関する履歴情報を記録手段に記録するとともに、ユーザーに情報を表示する表示手段を備えた画像処理装置の制御方法をコンピュータに実行させるためのプログラムであって、
前記制御方法は、
前記記録手段に記録された前記履歴情報を外部へ送信する送信ステップと、
前記画像処理を行う前に当該画像処理に関する履歴情報を記録するための領域を、前記記録手段に確保する領域確保ステップと、
前記領域確保ステップにより前記領域が確保できなかった場合に、前記画像処理を中止する中止ステップと、
前記中止ステップにより前記画像処理が中止されたことを示す情報を前記ユーザーに表示するように前記表示手段を制御する制御ステップと、を有し、
前記画像処理が予め定められた時刻に行われる処理である場合、前記領域確保ステップにおいて前記領域を確保することができないときであっても、前記記録手段に記録された履歴情報を前記送信ステップが前記時刻よりも前に外部へ送信することに伴って前記記録手段に記録された当該履歴情報が削除されるときには、前記中止ステップは前記画像処理を中止しないことを特徴とするプログラム。
【発明の詳細な説明】
【技術分野】
【０００１】
本発明は、画像処理装置及びその制御方法、並びにプログラムに関する。
【背景技術】
【０００２】
画像処理装置の普及に伴い、誰でも原稿のコピーや送信を容易に行うことが可能となった。その一方、機密原稿などのコピーや送信について、情報漏洩の観点から非常に問題となっている。
【０００３】
このような問題への対策として、コピーや送信などの際に読み取った画像データや、プリントまたは受信した画像データをすべて記録装置に記録しておくようにする。そして、いつ、どこで、だれが、どのような処理をしたかを履歴情報として記録する画像処理装置が存在する（例えば、特許文献１参照）。
【０００４】
また、記憶装置に履歴情報を記録する場合に、必要となる記憶容量が確保できなかった場合には、実行中のジョブをキャンセルすることで、記録漏れを防ぐ画像処理装置が提案されている（例えば、特許文献２参照）。
【先行技術文献】
【特許文献】
【０００５】
【特許文献１】特開２００６−３３０９３９号公報
【特許文献２】特開２００６−２９３８３３号公報
【発明の概要】
【発明が解決しようとする課題】
【０００６】
しかしながら、上述したような画像処理装置では、画像処理に関する履歴情報の記録に必要となる領域が確保できずに、そのエラーによってジョブキャンセルが発生すると、ユーザーはそのことを直ちに知ることができない可能性がある。
【０００７】
本発明の目的は、履歴情報を記録するための領域が確保できずに画像処理が中止されたときに、領域が確保できずに画像処理が中止されたことをユーザーが直ちに知ることができる画像処理装置及びその制御方法、並びにプログラムを提供することにある。
【課題を解決するための手段】
【０００８】
上記目的を達成するために、請求項１の画像処理装置は、画像処理に関する履歴情報を記録手段に記録するとともに、ユーザーに情報を表示する表示手段を備えた画像処理装置であって、前記記録手段に記録された前記履歴情報を外部へ送信する送信手段と、前記画像処理を行う前に、当該画像処理に関する履歴情報を記録するための領域を、前記記録手段に確保する領域確保手段と、前記領域確保手段により前記領域が確保できなかった場合に、前記画像処理を中止する中止手段と、前記中止手段により前記画像処理が中止されたことを示す情報を前記ユーザーに表示するように前記表示手段を制御する制御手段と、を有し、前記画像処理が予め定められた時刻に行われる処理である場合、前記領域確保手段が前記領域を確保することができないときであっても、前記記録手段に記録された履歴情報を前記送信手段が前記時刻よりも前に外部へ送信することに伴って前記記録手段に記録された当該履歴情報が削除されるときには、前記中止手段は前記画像処理を中止しないことを特徴とする。
【発明の効果】
【０００９】
本発明によれば、領域が確保できずに画像処理が中止されたことをユーザーが直ちに知ることができる画像処理装置及びその制御方法、並びにプログラムを提供することができる。
【図面の簡単な説明】
【００１０】
【図１】本発明の実施の形態に係る画像処理装置を含む画像処理システムの概略構成を示す図である。
【図２】図１における画像処理装置の概略構成を示す図である。
【図３】原稿スキャン処理時に記録されたスキャンジョブに関するジョブアーカイブログの一例を示す図である。
【図４】ファックス送信処理時に記録されたファックス送信ジョブに関するジョブアーカイブログの一例を示す図である。
【図５】図２におけるＣＰＵにより実行されるジョブアーカイブログ記録処理の手順を示すフローチャートである。
【図６】図５におけるステップＳ５０１のスキャンジョブの手順を示すフローチャートである。
【図７】図５におけるステップＳ５０２のファックス送信ジョブの手順を示すフローチャートである。
【図８】図２におけるＣＰＵ２０１により実行されるジョブアーカイブログ記録処理の手順を示すフローチャートである。
【図９】図８におけるステップＳ８０１のスキャンジョブの手順を示すフローチャートである。
【発明を実施するための形態】
【００１１】
以下、本発明の実施の形態について図面を参照しながら詳述する。
【００１２】
［第１の実施の形態］
図１は、本発明の実施の形態に係る画像処理装置１０１を含む画像処理システム１００の概略構成を示す図である。
【００１３】
図１において、画像処理装置１０１は、原稿を読み取って複写したり、プリントしたり、さまざまな装置に画像を送信したり、受信したりする装置である。画像処理装置１０１上で動作するエージェントは、画像処理装置１０１が記録した画像データ（以下、「画像ログ」という）とジョブ履歴情報（以下、「ジョブログ」という）を含むジョブアーカイブログを、定期的にサービスプロバイダ１０２へ送信する。
【００１４】
サービスプロバイダ１０２は、エージェントから受け取ったジョブアーカイブログをデータサーバ１０３に記録する。その際に、必要に応じてジョブアーカイブログ内にある画像データの変換やＯＣＲ処理を行なう。
【００１５】
データサーバ１０３は、サービスプロバイダ１０２から送られてきたジョブアーカイブログを記録する。データサーバ１０３はジョブアーカイブログに記録された属性の検索機能の提供も行なう。
【００１６】
Ｗｅｂサーバ１０４では、データサーバ１０３に蓄積されたジョブアーカイブログを検索、閲覧するためのＷｅｂアプリケーションが動作している。
【００１７】
上記画像処理装置１０１、サービスプロバイダ１０２、データサーバ１０３、及びＷｅｂサーバ１０４がネットワーク１０５を介して接続されている。一方、ファクシミリ装置１０７は、公衆回線網１０６に接続されている。
【００１８】
図２は、図１における画像処理装置１０１の概略構成を示す図である。
【００１９】
図２において、ＣＰＵ２０１は、ＲＯＭ２０９に格納されたプログラムを、ＲＡＭ２０８にロードすることによって画像処理装置１０１全体の動作を制御する。また、ＣＰＵ２０１は、バス２０２を介して画像処理装置１０１内の各構成と通信を行なう。
【００２０】
操作部２０６は、ユーザーが指示を行なうための複数のキー、ユーザーに情報を表示する表示部（表示手段）を含む。
【００２１】
読取装置であるスキャナ２０５は、ユーザーが原稿台にセットした原稿上の画像をカラー画像として読み取り、これによって得た画像データをＨＤＤ２０３、ＲＡＭ２０８等に記録する。
【００２２】
ＨＤＤ２０３は、ハードディスクドライブであり、入力された各種情報を記録する。ジョブアーカイブログも、このＨＤＤ２０３に割り当てられた専用パーティションに一旦記録される。このＨＤＤ２０３に記録されたジョブアーカイブログは、定期的にサービスプロバイダ１０２へエージェントによって送信され、送信後に削除される。このように、画像処理装置１０１は、画像処理に関する履歴情報をＨＤＤ２０３（記録手段）に記録するようになっている。
【００２３】
画像処理部２１０は、ＲＡＭ２０８に蓄積された画像データに対して、変倍、色変換などの画像処理を行なう。
【００２４】
印刷装置であるプリンタ２０４は、入力された画像データに基づく画像を、用紙上にプリントする。
【００２５】
ネットワークＩ／Ｆ２０７は、画像処理装置１０１をネットワーク１０５に接続し、ネットワーク上の外部装置からのデータの受信、ネットワーク上の外部装置へのデータの送信を制御する。
【００２６】
回線Ｉ／Ｆ２１１は、画像処理装置１０１を公衆回線網１０６に接続し、モデム、ＮＣＵ（ネットワーク・コントロール・ユニット）を介して外部装置にデータを送受信する機能が搭載されている。
【００２７】
図３は、原稿スキャン処理時に記録されたスキャンジョブに関するジョブアーカイブログの一例を示す図である。（Ａ）は３枚のスキャン原稿に対応する画像ログを示し、（Ｂ）は各々の画像ログに対応する画像属性を示し、（Ｃ）はジョブログを示している。
【００２８】
図３に示されるように、画像ログはページの処理単位ごとに記録され、ジョブログはジョブの処理単位ごとに記録される。
【００２９】
図３において、画像ログ３０１は、画像属性３０２に対応し、画像ログ３０９は、画像属性３１０に対応し、画像ログ３１１は、画像属性３１２に対応する。そして、画像属性は、画像ログの一部である。
【００３０】
画像属性は、ＩｍａｇｅＴｙｐｅ（画像フォーマット）、Ｒｅｓｏｌｕｔｉｏｎ（解像度（ｄｐｉ））、ＩｍａｇｅＳｉｚｅ（画像サイズ（画素数）からなる。
【００３１】
例えば、画像属性３０２において、ＩｍａｇｅＴｙｐｅはＪＰＥＧ、ＲｅｓｏｌｕｔｉｏｎはＸＹともに１００、ＩｍａｇｅＳｉｚｅはＸ＝８３２、Ｙ＝１１８４となっている。
【００３２】
（Ｃ）に示されるジョブログは、画像処理に関する履歴情報に対応する。このジョブログは、ＪｏｂＫｉｎｄ（ジョブ種）、ＵｓｅｒＩＤ（ユーザーＩＤ）、ＳｔａｒｔＴｉｍｅ（ジョブ開始時刻）、ＥｎｄＴｉｍｅ（ジョブ終了時刻）、及びＲｅｓｕｌｔ（ジョブ実行結果）を含む。さらに、ジョブログは、ＰａｐｅｒＣｏｕｎｔ（原稿枚数）、ＤｏｃｕｍｅｎｔＩＤ１（画像ログＩＤ１）、ＤｏｃｕｍｅｎｔＬｏｇ１（画像ログＩＤ１の有無）を含む。
【００３３】
（Ｃ）に示されるジョブログの場合、ＪｏｂＫｉｎｄはスキャン、ＵｓｅｒＩＤは０１２３４５６７８９、ＳｔａｒｔＴｉｍｅは２０１１年４月２６日１０時５分４０秒を示している。
【００３４】
さらにこのジョブログの場合、ＥｎｄＴｉｍｅは２０１１年４月２６日１０時５分５０秒、Ｒｅｓｕｌｔは、正常終了、ＰａｐｅｒＣｏｕｎｔは、３枚、ＤｏｃｕｍｅｎｔＩＤ１は０００００００１、ＤｏｃｕｍｅｎｔＬｏｇ１は、有りを示すＹＥＳとなっている。
【００３５】
図３に示した画像ログ及びジョブログがスキャンジョブに関するジョブアーカイブログである。
【００３６】
図４は、ファックス送信処理時に記録されたファックス送信ジョブに関するジョブアーカイブログの一例を示す図である。
【００３７】
図４におけるジョブアーカイブログは、図３で示したスキャンジョブに関するジョブアーカイブログと異なり、画像ログはなく、ジョブログだけとなっている。この図４におけるジョブアーカイブログも、画像処理に関する履歴情報に対応する。
【００３８】
また、図３に示したジョブログと異なる点は、ＰｈｏｎｅＮｏ（ファックス送信番号）が追加され、ＰａｐｅｒＣｏｕｎｔがない点である。
【００３９】
ファックス送信ジョブでは画像ログを記録しない理由は、ファックス送信した画像データ自体はすでにスキャン実行時に記録済みであり、画像ログの記録が重複しないようにするためである。
【００４０】
図４に示されるジョブログと図３に示した画像ログとの対応付けは、ＤｏｃｕｍｅｎｔＩＤ１により行なう。この例では、ＤｏｃｕｍｅｎｔＩＤ１は０００００００１となっており、このＤｏｃｕｍｅｎｔＩＤ１はスキャン時に記録した図３に示されるジョブログにおけるＤｏｃｕｍｅｎｔＩＤ１と一致している。従って、画像ログ３０１，３０９，３１１をファックス送信したことが分かる。また、ＤｏｃｕｍｅｎｔＬｏｇ１がＮＯとなっているのは、このジョブアーカイブログには画像ログが無いことを示している。
【００４１】
図５は、図２におけるＣＰＵ２０１により実行されるジョブアーカイブログ記録処理の手順を示すフローチャートである。
【００４２】
図５に示される処理は、ユーザーからのファックス送信指示を操作部２０６が受け付けることにより実行される。
【００４３】
図５において、図３で示したジョブアーカイブログの記録処理を含むスキャンジョブを実行し（ステップＳ５０１）、図４で示したジョブアーカイブログの記録処理を含むファックス送信ジョブを実行して（ステップＳ５０２）、本処理を終了する。なお、図５に示される「１」から終了に至る処理ルートは、後述するフローチャートにて用いられる。
【００４４】
図６は、図５におけるステップＳ５０１のスキャンジョブの手順を示すフローチャートである。
【００４５】
図６において、スキャンジョブ用の図３に示したジョブアーカイブログを記録する領域を、ＨＤＤ２０３のジョブアーカイブログ専用のパーティション上に確保する（ステップＳ６０１）。このステップＳ６０１は、画像処理を行う前に履歴情報を記録するための領域を、ＨＤＤ２０３に確保する領域確保手段に対応する。
【００４６】
次いで、領域が確保できたか否か判別する（ステップＳ６０２）。ステップＳ６０２の判別の結果、領域が確保できなかったときは（ステップＳ６０２でＮＯ）、スキャンジョブを中止し（ステップＳ６０３）、図５に示した「１」に進み、そのまま処理を終了する。
【００４７】
また、上記ステップＳ６０３では、領域を確保できなかったため、スキャンジョブを受け付けられなかった旨を示すスキャンジョブ中止画面を操作部２０６に表示する。このステップＳ６０３は、領域が確保できなかった場合に、画像処理を中止する中止手段に対応する。さらに、ステップＳ６０３は、画像処理が中止されたことを示す情報をユーザーに表示するように操作部２０６を制御する制御手段に対応する。
【００４８】
なお、以下の説明で、領域を確保できない状態を、ジョブアーカイブログフルということにする。
【００４９】
ステップＳ６０２の判別の結果、領域が確保できたときは（ステップＳ６０２でＹＥＳ）、ステップＳ６０１で確保した領域に、スキャンジョブ開始時に決定しているスキャンジョブに関するジョブログを記録する（ステップＳ６０４）。スキャンジョブ開始時に決定しているスキャンジョブに関するジョブログは、ＪｏｂＫｉｎｄ、ＵｓｅｒＩＤ、ＳｔａｒｔＴｉｍｅである。
【００５０】
次いで、ユーザーによりスキャナ２０５にセットされた全ての原稿をスキャンしたか否か判別する（ステップＳ６０５）。
【００５１】
ステップＳ６０５の判別の結果、全ての原稿をスキャンしていないときは（ステップＳ６０５でＮＯ）、スキャナ２０５が原稿をスキャンし（ステップＳ６０６）、得られた画像データに対して画像処理される（ステップＳ６０７）。ここでの画像処理は、解像度変換や２値化処理などであり、画像処理部２１０により実行される。
【００５２】
次いで、ステップＳ６０７にて得られた画像データをＨＤＤ２０３に記録する（ステップＳ６０８）。ここでの画像データは、図３（Ａ）で示した画像ログであり、ＨＤＤ２０３のジョブアーカイブログ専用のパーティションにも記録される。
【００５３】
次いで、画像ログが記録できたか否か判別する（ステップＳ６１０）。ステップＳ６１０の判別の結果、画像ログが記録できたときは（ステップＳ６１０でＹＥＳ）、ステップＳ６０５に戻る。
【００５４】
一方、ステップＳ６１０の判別の結果、画像ログが記録できなかったときは（ステップＳ６１０でＮＯ）、ステップＳ６０１で確保した領域に記録されたジョブログを更新する（ステップＳ６１１）。具体的には、ステップＳ６０４で記録していない残りの項目について更新される。残りの項目は、ＥｎｄＴｉｍｅ、Ｒｅｓｕｌｔ、ＰａｐｅｒＣｏｕｎｔ、ＤｏｃｕｍｅｎｔＩＤ１、ＤｏｃｕｍｅｎｔＬｏｇ１である。
【００５５】
そして、スキャンジョブを中止し（ステップＳ６１２）、図５に示した「１」に進み、そのまま処理を終了する。また、上記ステップＳ６１２では、ジョブアーカイブログフルにより、スキャンジョブを受け付けられなかった旨を示すスキャンジョブ中止画面を操作部２０６に表示する。
【００５６】
上記ステップＳ６０５の判別の結果、全ての原稿をスキャンしたときは（ステップＳ６０５でＹＥＳ）、ステップＳ６０１で確保したスキャンジョブ用のジョブログ領域に対して、上述した残りの項目について更新する（ステップＳ６１３）。
【００５７】
次いで、ファックス送信ジョブ用の図４に示したジョブアーカイブログを記録する領域を、ＨＤＤ２０３のジョブアーカイブログ専用のパーティション上に確保する（ステップＳ６１４）。
【００５８】
次いで、領域が確保できたか否か判別する（ステップＳ６１５）。ステップＳ６１５の判別の結果、領域が確保できなかったときは（ステップＳ６１５でＮＯ）、全てのスキャンジョブを終了し（ステップＳ６１６）、図５に示した「１」に進み、そのまま処理を終了する。
【００５９】
このステップＳ６１６では、ファックス送信ジョブを受け付けられなかった旨を示す画面を操作部２０６に表示する。
【００６０】
一方、ステップＳ６１５の判別の結果、領域が確保できたときは（ステップＳ６１５でＹＥＳ）、本処理を終了する。
【００６１】
図６の処理によれば、画像処理を行う前に履歴情報を記録するための領域を、記録手段に確保し（ステップＳ６０１）、領域が確保できなかった場合に、画像処理を中止する（ステップＳ６０３）。また、画像処理が中止されたことを示す情報を前記ユーザーに表示する（ステップＳ６０３）。その結果、領域が確保できずに画像処理が中止されたことをユーザーが直ちに知ることができる。
【００６２】
図７は、図５におけるステップＳ５０２のファックス送信ジョブの手順を示すフローチャートである。
【００６３】
図７において、図６のステップＳ６１４で確保した領域に、ファックス送信ジョブ開始時に決定している情報を記録する（ステップＳ７０１）。具体的には、ファックス送信ジョブ開始時に決定している情報は、ＪｏｂＫｉｎｄ、ＵｓｅｒＩＤ、ＰｈｏｎｅＮｏ、ＳｔａｒｔＴｉｍｅである。
【００６４】
次いで、図６のステップＳ６０８でＨＤＤ２０３に記録した画像データをＲＡＭ２０８に展開し、回線Ｉ／Ｆ０２１１を用いてファックス送信を行う（ステップＳ７０２）。ファックス送信が終了すると、ステップＳ６１４で確保した領域に対して、ステップＳ７０１で記録していない残りの項目についてジョブログを更新し（ステップＳ７０３）、本処理を終了する。
【００６５】
［第２の実施の形態］
第２の実施の形態における画像処理システム及び画像処理装置の構成は、図１及び図２に示したものと同じであるので、これらについては省略する。
【００６６】
第２の実施の形態では、ファックスタイマー送信におけるジョブアーカイブログの記録方法について説明する。
【００６７】
図８は、図２におけるＣＰＵ２０１により実行されるジョブアーカイブログ記録処理の手順を示すフローチャートである。
【００６８】
図８に示される処理は、ユーザーからのファックス送信指示を操作部２０６が受け付けることにより実行される。
【００６９】
図８において、図３で示したジョブアーカイブログの記録処理を含むスキャンジョブを実行する（ステップＳ８０１）。そして、ユーザーが指定した送信時刻になると（ステップＳ８０２でＹＥＳ）、図４で示したジョブアーカイブログの記録処理を含むファックス送信ジョブを実行し（ステップＳ８０３）、本処理を終了する。なお、図８に示される「１」から終了に至る処理ルートは、後述するフローチャートにて用いられる。また、ステップＳ８０３のファックス送信ジョブは、図７に示したファックス送信ジョブと同じであるので、ステップＳ８０１のスキャンジョブのみについて説明する。
【００７０】
図９は、図８におけるステップＳ８０１のスキャンジョブの手順を示すフローチャートである。
【００７１】
図９において、まず図６のステップＳ６０１からステップＳ６１４までの処理を行う。次いで、ステップＳ９０１においてファックス送信ジョブ用のジョブログを記録する領域が確保できたか否か判別する（ステップＳ９０１）。ステップＳ９０１の判別の結果、領域が確保できたときは（ステップＳ９０１でＹＥＳ）、本処理を終了する。
【００７２】
一方、ステップＳ９０１の判別の結果、領域が確保できなかったときは（ステップＳ９０１でＮＯ）、ファックス送信ジョブより前に、エージェントがサービスプロバイダにジョブアーカイブログを送信するか否か判別する（ステップＳ９０２）。
【００７３】
もしサービスプロバイダ１０２に送信が行われれば、ＨＤＤ２０３に記録されたジョブアーカイブログはＣＰＵ２０１によって削除されるため、ジョブアーカイブログフルの状態が解除される。この場合、ファックス送信ジョブが開始される前に、ファックス送信ジョブ用のジョブログ記録領域を確保することが可能となるため、ジョブを継続することができる。
【００７４】
そこで、ステップＳ９０２の判別の結果、肯定判別されたときは（ステップＳ９０２でＹＥＳ）、ジョブを継続するか否かをユーザーに決定させるためのジョブ継続決定画面を操作部２０６に表示する（ステップＳ９０３）。
【００７５】
次いで、ユーザーによりジョブを継続することが決定されたか否か判別する（ステップＳ９０４）。ステップＳ９０４の判別の結果、ジョブを継続することが決定されたときは（ステップＳ９０４でＹＥＳ）、以下の処理を行う。すなわち、ファックス送信ジョブ用のジョブログ記録領域を、すでにＨＤＤ２０３に記録されたジョブアーカイブログがＣＰＵ２０１によって削除されたタイミングで確保するように予約し（ステップＳ９０５）、本処理を終了する。
【００７６】
一方、ステップＳ９０４の判別の結果、ジョブを継続しないことが決定されたときは（ステップＳ９０４でＮＯ）、スキャンジョブを終了し、ファックス送信ジョブが中止された旨を示すファックス送信ジョブ中止画面を表示する（ステップＳ９０６）。そして本処理を終了する。
【００７７】
一方、ステップＳ９０２の判別の結果、否定判別されたときは（ステップＳ９０２でＮＯ）、上記ステップＳ９０６に進む。
【００７８】
上記図９の処理は、画像処理が、予め定められた時間が経過した後に行われる処理であり、かつ予め定められた時間が経過した時点で履歴情報を記録するための領域が確保できるときには、前記領域を予約しておく処理である。図９において、予め定められた時間は、ユーザーが指定した送信時刻までの時間であり、予め定められた時間が経過した時点は、ユーザーが指定した送信時刻に対応している。
【００７９】
以上説明した実施の形態では、ファックス送信およびファックスタイマー送信を例として説明したが、本発明はファックス機能に限ったものではなく、ｅ−ｍａｉｌ、Ｉ−ＦＡＸ、ＳＭＢ、ＦＴＰといった各種送信機能においても適用可能である。
【００８０】
（他の実施の形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００８１】
１０１  画像処理装置
２０１  ＣＰＵ
２０３  ＨＤＤ
２０６  操作部
２０８  ＲＡＭ
２０９  ＲＯＭ
【図１】
0005967909.tif 000002
【図２】
0005967909.tif 000003
【図３】
0005967909.tif 000004
【図４】
0005967909.tif 000005
【図５】
0005967909.tif 000006
【図６】
0005967909.tif 000007
【図７】
0005967909.tif 000008
【図８】
0005967909.tif 000009
【図９】
0005967909.tif 000010